(57)【要約】【課題】  光学ピックアップの底面部から突出する突起部とフレキシブルプリント配線板との接触を回避し、更なる薄型化を図る。【解決手段】  光学ディスク２の半径方向に送り動作されると共に、回転する光学ディスク２に対して信号の書き込み及び／又は読み出しを行う光学ピックアップ１７と、光学ピックアップ１７に一端部４５ａが接続されて他端部４５ｄが光学ピックアップ１７の送り方向に延長して設けられたフレキシブルプリント配線板４５とを備え、フレキシブルプリント配線板４５は、光学ピックアップ１７の底面部側に折り返される折返し部４５ｇと、光学ピックアップ１７の送り動作に追従して折返し部４５ｇの折返し位置を変位させる屈曲変位部４５ｈとを有し、折返し部４５ｈには、光学ピックアップ１７の底面部から突出する突起部１７ｂを逃がすスリット４７が設けられている。【選択図】  図９
2005235308.tif 000002
【特許請求の範囲】
【請求項１】
光学ディスクの半径方向に送り動作されると共に、回転する光学ディスクに対して信号の書き込み及び／又は読み出しを行う光学ピックアップと、
上記光学ピックアップに一端部が接続されて他端部が上記ピックアップの送り方向に延長して設けられたフレキシブルプリント配線板とを備え、
上記フレキシブルプリント配線板は、上記光学ピックアップの底面部側に折り返される折返し部と、上記光学ピックアップの送り動作に追従して上記折返し部の折返し位置を変位させる屈曲変位部とを有し、上記折返し部には、上記光学ピックアップの底面部から突出する突起部を逃がす開口部が設けられていることを特徴とする光学ピックアップ装置。
【請求項２】
上記フレキシブルプリント配線板は、上記開口部を挟んで分割される一対の配線部を有し、上記一対の配線部は、略同一の幅で形成されていることを特徴とする請求項１記載の光学ピックアップ装置。
【請求項３】
上記一対の配線部のうち、第１の配線部には、上記光学ピックアップを第１の記録フォーマットで駆動制御するための第１の信号線が配線され、第２の配線部には、上記光学ピックアップを上記第１の記録フォーマットと異なる第２の記録フォーマットで駆動制御するための第２の信号線が配線されていることを特徴とする請求項２記載の光学ピックアップ装置。
【請求項４】
上記開口部は、上記フレキシブルプリント配線板の一端部まで形成されていることを特徴とする請求項１記載の光学ピックアップ装置。
【請求項５】
上記開口部は、上記フレキシブルプリント配線板の他端部で開放されていることを特徴とする請求項１記載の光学ピックアップ装置。
【請求項６】
光学ディスクの半径方向に送り動作されると共に、回転する光学ディスクに対して信号の書き込み及び／又は読み出しを行う光学ピックアップと、
上記光学ピックアップに一端部が接続されて他端部が上記ピックアップの送り方向に延長して設けられたフレキシブルプリント配線板とを備え、
上記フレキシブルプリント配線板は、上記光学ピックアップの底面部側に折り返される折返し部と、上記光学ピックアップの送り動作に追従して上記折返し部の折返し位置を変位させる屈曲変位部とを有し、上記屈曲変位部は、上記光学ピックアップの送り方向と略直交する方向に並ぶ複数の配線部に分割されていることを特徴とする光学ピックアップ装置。
【請求項７】
上記複数の配線部は、略同一の幅で形成されていることを特徴とする請求項６記載の光学ピックアップ装置。
【請求項８】
上記複数の配線部のうち、第１の配線部には、上記光学ピックアップを第１の記録フォーマットで駆動制御するための第１の信号線が配線され、第２の配線部には、上記光学ピックアップを上記第１の記録フォーマットと異なる第２の記録フォーマットで駆動制御するための第２の信号線が配線されていることを特徴とする請求項６記載の光学ピックアップ装置。
【請求項９】
上記複数の配線部は、上記フレキシブルプリント配線板の一端部まで分割されていることを特徴とする請求項６記載の光学ピックアップ装置。
【請求項１０】
上記複数の配線部は、上記フレキシブルプリント配線板の他端部まで分割されていることを特徴とする請求項６記載の光学ピックアップ装置。
【請求項１１】
光学ディスクが装着されるディスク装着部と、
上記ディスク装着部に装着された光学ディスクを回転駆動するディスク回転駆動機構と、
上記ディスク回転駆動機構により回転駆動される上記光学ディスクに対して信号の書き込み及び／又は読み出しを行う光学ピックアップと、
上記光学ピックアップを上記光学ディスクの半径方向に送り動作させるピックアップ送り機構と、
上記光学ピックアップに一端部が接続されて他端部が上記ピックアップの送り方向に延長して設けられたフレキシブルプリント配線板とを備え、
上記フレキシブルプリント配線板は、上記光学ピックアップの底面部側に折り返される折返し部と、上記ピックアップ送り機構による上記光学ピックアップの送り動作に追従して上記折返し部の折返し位置を変位させる屈曲変位部とを有し、上記折返し部には、上記光学ピックアップの底面部から突出する突起部を逃がす開口部が設けられていることを特徴とするディスクドライブユニット。
【請求項１２】
上記フレキシブルプリント配線板は、上記開口部を挟んで分割される一対の配線部を有し、上記一対の配線部は、略同一の幅で形成されていることを特徴とする請求項１１記載のディスクドライブユニット。
【請求項１３】
上記一対の配線部のうち、第１の配線部には、上記光学ピックアップを第１の記録フォーマットで駆動制御するための第１の信号線が配線され、第２の配線部には、上記光学ピックアップを上記第１の記録フォーマットと異なる第２の記録フォーマットで駆動制御するための第２の信号線が配線されていることを特徴とする請求項１２記載のディスクドライブユニット。
【請求項１４】
上記開口部は、上記フレキシブルプリント配線板の一端部まで形成されていることを特徴とする請求項１１記載のディスクドライブユニット。
【請求項１５】
上記開口部は、上記フレキシブルプリント配線板の他端部で開放されていることを特徴とする請求項１１記載のディスクドライブユニット。
【請求項１６】
光学ディスクが装着されるディスク装着部と、
上記ディスク装着部に装着された光学ディスクを回転駆動するディスク回転駆動機構と、
上記ディスク回転駆動機構により回転駆動される上記光学ディスクに対して信号の書き込み及び／又は読み出しを行う光学ピックアップと、
上記光学ピックアップを上記光学ディスクの半径方向に送り動作させるピックアップ送り機構と、
上記光学ピックアップに一端部が接続されて他端部が上記ピックアップの送り方向に延長して設けられたフレキシブルプリント配線板とを備え、
上記フレキシブルプリント配線板は、上記光学ピックアップの底面部側に折り返される折返し部と、上記ピックアップ送り機構による上記光学ピックアップの送り動作に追従して上記折返し部の折返し位置を変位させる屈曲変位部とを有し、上記屈曲変位部は、上記光学ピックアップの送り方向と略直交する方向に並ぶ複数の配線部に分割されていることを特徴とするディスクドライブユニット。
【請求項１７】
上記複数の配線部は、略同一の幅で形成されていることを特徴とする請求項１６記載のディスクドライブユニット。
【請求項１８】
上記複数の配線部のうち、第１の配線部には、上記光学ピックアップを第１の記録フォーマットで駆動制御するための第１の信号線が配線され、第２の配線部には、上記光学ピックアップを上記第１の記録フォーマットと異なる第２の記録フォーマットで駆動制御するための第２の信号線が配線されていることを特徴する請求項１６記載のディスクドライブユニット。
【請求項１９】
上記複数の配線部は、上記フレキシブルプリント配線板の一端部まで分割されていることを特徴とする請求項１６記載のディスクドライブユニット。
【請求項２０】
上記複数の配線部は、上記フレキシブルプリント配線板の他端部まで分割されていることを特徴とする請求項１６記載のディスクドライブユニット。
【請求項２１】
筐体と、
上記筐体に収容されるディスクドライブユニットとを備え、
上記ディスクドライブユニットは、光学ディスクが装着されるディスク装着部と、
上記ディスク装着部に装着された光学ディスクを回転駆動するディスク回転駆動機構と、
上記ディスク回転駆動機構により回転駆動される上記光学ディスクに対して信号の書き込み及び／又は読み出しを行う光学ピックアップと、
上記光学ピックアップを上記光学ディスクの半径方向に送り動作させるピックアップ送り機構と、
上記光学ピックアップに一端部が接続されて他端部が上記ピックアップの送り方向に延長して設けられたフレキシブルプリント配線板とを備え、
上記フレキシブルプリント配線板は、上記光学ピックアップの底面部側に折り返される折返し部と、上記ピックアップ送り機構による上記光学ピックアップの送り動作に追従して上記折返し部の折返し位置を変位させる屈曲変位部とを有し、上記折返し部には、上記光学ピックアップの底面部から突出する突起部を逃がす開口部が設けられていることを特徴とするディスクドライブ装置。
【請求項２２】
上記フレキシブルプリント配線板は、上記開口部を挟んで分割される一対の配線部を有し、上記一対の配線部は、略同一の幅で形成されていることを特徴とする請求項２１記載のディスクドライブ装置。
【請求項２３】
上記一対の配線部のうち、第１の配線部には、上記光学ピックアップを第１の記録フォーマットで駆動制御するための第１の信号線が配線され、第２の配線部には、上記光学ピックアップを上記第１の記録フォーマットと異なる第２の記録フォーマットで駆動制御するための第２の信号線が配線されていることを特徴とする請求項２２記載のディスクドライブ装置。
【請求項２４】
上記開口部は、上記フレキシブルプリント配線板の一端部まで形成されていることを特徴とする請求項２１記載のディスクドライブ装置。
【請求項２５】
上記開口部は、上記フレキシブルプリント配線板の他端部で開放されていることを特徴とする請求項２１記載のディスクドライブ装置。
【請求項２６】
上記筐体の底面部には、上記光学ピックアップの突起部を逃がす開口部が設けられていることを特徴とする請求項２１記載のディスクドライブ装置。
【請求項２７】
上記筐体の底面部に配置されると共に、上記フレキシブルプリント配線板の他端部が接続されるコネクタが設けられた回路基板を備えることを特徴とする請求項２１記載のディスクドライブ装置。
【請求項２８】
筐体と、
上記筐体に収容されるディスクドライブユニットとを備え、
上記ディスクドライブユニットは、光学ディスクが装着されるディスク装着部と、
上記ディスク装着部に装着された光学ディスクを回転駆動するディスク回転駆動機構と、
上記ディスク回転駆動機構により回転駆動される上記光学ディスクに対して信号の書き込み及び／又は読み出しを行う光学ピックアップと、
上記光学ピックアップを上記光学ディスクの半径方向に送り動作させるピックアップ送り機構と、
上記光学ピックアップに一端部が接続されて他端部が上記ピックアップの送り方向に延長して設けられたフレキシブルプリント配線板とを備え、
上記フレキシブルプリント配線板は、上記光学ピックアップの底面部側に折り返される折返し部と、上記ピックアップ送り機構による上記光学ピックアップの送り動作に追従して上記折返し部の折返し位置を変位させる屈曲変位部とを有し、上記屈曲変位部は、上記光学ピックアップの送り方向と略直交する方向に並ぶ複数の配線部に分割されていることを特徴とするディスクドライブ装置。
【請求項２９】
上記複数の配線部は、略同一の幅で形成されていることを特徴とする請求項２８記載のディスクドライブ装置。
【請求項３０】
上記複数の配線部のうち、第１の配線部には、上記光学ピックアップを第１の記録フォーマットで駆動制御するための第１の信号線が配線され、第２の配線部には、上記光学ピックアップを上記第１の記録フォーマットと異なる第２の記録フォーマットで駆動制御するための第２の信号線が配線されていることを特徴する請求項２８記載のディスクドライブ装置。
【請求項３１】
上記複数の配線部は、上記フレキシブルプリント配線板の一端部まで分割されていることを特徴とする請求項２８記載のディスクドライブ装置。
【請求項３２】
上記複数の配線部は、上記フレキシブルプリント配線板の他端部まで分割されていることを特徴とする請求項２８記載のディスクドライブ装置。
【請求項３３】
上記筐体の底面部に配置されると共に、上記フレキシブルプリント配線板の他端部が接続されるコネクタが設けられた回路基板を備えることを特徴とする請求項２８記載のディスクドライブ装置。
【発明の詳細な説明】
【技術分野】
【０００１】
本発明は、光学ピックアップに接続されるフレキシブルプリント配線板（以下、ＦＰＣという。）の改良に関し、特に、薄型化に有利なＦＰＣを備える光学ピックアップ装置、並びにそのような光学ピックアップ装置を備えるディスクドライブユニット及びディスクドライブ装置に関する。
【背景技術】
【０００２】
従来よりＣＤ(Compact Disk)やＤＶＤ(Digital Versatile Disk)といった光学ディスクが広く知られており、これら光学ディスクに対応した各種のディスクドライブ装置が登場している。
【０００３】
例えば図１６に示すディスクドライブ装置が備えるディスクドライブユニット２００は、光ディスクを回転駆動するディスク回転駆動機構２０１と、このディスク回転駆動機構２０１により回転駆動される光ディスクに対して信号の書き込み又は読み出し動作を行う光学ピックアップ２０２と、この光学ピックアップ２０２を光ディスクの半径方向に送り動作するピックアップ送り機構２０３と、光学ピックアップ２０２に一端部が接続されて他端部がピックアップ２０２の送り方向に延長して設けられたＦＰＣ２０４と、このＦＰＣ２０４の他端部が接続されるコネクタ２０５が設けられた回路基板２０６とを備え、これらがベース２０７に取り付けられた構造を有している。
【０００４】
ディスク回転駆動機構２０１は、光ディスクを保持するターンテーブル２０８が設けられた扁平状のスピンドルモータ２０９を有し、このスピンドルモータ２０９が回路基板２０６に支持されると共に、光ディスクをターンテーブル２０８と一体に回転駆動する。
【０００５】
光学ピックアップ２０２は、半導体レーザから出射された光ビームを対物レンズ２１０で集光させて光ディスクの信号記録面に照射し、この光ディスクの信号記録面で反射された戻りの光ビームを受光素子で検出することによって、光ディスクに対して信号の書き込み又は読み出しを行う。
【０００６】
ピックアップ送り機構２０３は、光学ピックアップ２０２を光ディスクの半径方向に移動可能に支持する一対のガイド軸２１１ａ，２１１ｂと、光学ピックアップ２０２に取り付けられたラック部材２１２と、このラック部材２１２と噛合されるリードスクリュー２１３と、このリードスクリュー２１３を回転駆動するステッピングモータ２１４とを有し、このステッピングモータ２１４がリードスクリュー２１３を回転駆動しながら、リードスクリュー２１３と噛合されたラック部材２１２を光学ピックアップ２０２と共に光ディスクの半径方向に変位駆動する。
【０００７】
ＦＰＣ２０４は、光学ピックアップ２０２の底面部側に折り返される折返し部２０４ａと、光学ピックアップ２０２の送り動作に追従して折返し部２０４ａの折返し位置を変位させる屈曲変位部２０４ｂとを有し、光学ピックアップ２０２と回路基板２０６との間で引き回されている。
【０００８】
回路基板２０６は、いわゆるリジット基板であり、上述したＦＰＣ２０４の他端部が接続されるコネクタ２０５や、ドライブ本体側に設けられた他の回路基板との電気的な接続を図るためのコネクタ２１５、各部の駆動制御を行う駆動制御回路等を搭載している。
【０００９】
ベース２０７は、所定の形状に打ち抜かれた板金からなり、その主面には、ターンテーブル２０８が臨むテーブル用開口部２１６ａと光学ピックアップ２０２が臨むピックアップ用開口部２１６ｂとが連続して形成されている。そして、これら開口部２１５ａ，２１５ｂからターンテーブル２０８及び光学ピックアップ２０２が臨む側の主面とは反対側の主面には、上述した回路基板２０６、一対のガイド軸２１１ａ，２１１ｂの両端部、リードスクリュー２１３、ステッピングモータ２１４等が取り付けられている。
【００１０】
以上のように構成されるディスクドライブユニット２００では、ディスク回転駆動機構２０１が光ディスクを回転駆動し、ピックアップ送り機構２０３が光学ピックアップ２０２を光ディスクの半径方向に送り動作しながら、光学ピックアップ２０２が光ディスクに対して信号の書き込み又は読み出し動作を行う。
【００１１】
ところで、上述したディスクドライブユニット２００は、図１７に示す超薄型のディスクドライブ装置３００に搭載されるものであり、このディスクドライブユニット２００は、ディスクドライブ装置３００の筐体３０１から水平方向に出し入れされるディスクトレイ３０２に一体に取り付けられている。
【００１２】
このような超薄型のディスクドライブ装置３００は、例えばノート型パーソナルコンピュータ等の薄型のホスト機器に搭載されるため、厚み方向の様々な制約を受けることになる。具体的に、このディスクドライブ装置３００では、ディスクドライブユニット２００に搭載された光学ピックアップ２０２の底面部と筐体３０１との間の間隔が非常に狭くなる。
【００１３】
光学ピックアップ２０２には、上述したように、半導体レーザや、受光素子、半導体レーザから出射された光ビームを光ディスクに導くと共に光ディスクで反射された戻りの光ビームを受光素子に導くための各種光学部品、また、対物レンズ２１０をフォーカッシング方向及びトラッキング方向に変位駆動する２軸アクチュエータ等が搭載されている。
【００１４】
しかしながら、光学ピックアップ２０２では、全体の厚みを極力抑える必要があるものの、搭載される部品の種類によってはその厚みを薄くすることが困難である。特に、ディスクドライブ装置３００をハードディスクドライブ（ＨＤＤ）ユニットと同等の厚みである９．５ｍｍ程度にまで薄型化した場合には、殆ど厚み方向の寸法を削る箇所がないため、例えば光学ピックアップ２０２に搭載される収差補正用の液晶素子は、この光学ピックアップ２０２の底面部から突出して配置されることになる。
【００１５】
この場合、図１７に示すように、光学ピックアップ２０２の底面部側に折り返されたＦＰＣ２０４の折返し部２０４ａには、この光学ピックアップ２０２の底面部から突出する液晶素子の突起部２０２ａが接触することになる。
【００１６】
このため、ディスクドライブ装置３００では、光学ピックアップ２０２を光ディスクＤの半径方向に送り動作した際に、突起部２０２ａがＦＰＣ２０４と摺接して、このＦＰＣ２０４に形成された配線を傷付けたり、或いはこの配線を流れる信号に悪影響を与えてしまうといった問題があった。
【００１７】
また、ディスクドライブ装置３００では、ディスクドライブユニット２００に搭載された光学ピックアップ２０２の底面部と筐体３０１との間の間隔が狭くなると、光学ピックアップ２０２と回路基板２０６との間で引き回されるＦＰＣ２０４の引回し空間も狭くなる。この場合、ＦＰＣ２０４の折返し位置に当たる屈曲変位部２０４ｂでは、その曲率半径が小さくなるために、その弾性（バネ）力も増すことになる。
【００１８】
このため、ディスクドライブ装置３００では、ＦＰＣ２０４の弾性力による負荷が光学ピックアップ２０２に加わることで、この光学ピックアップ２０２の送り動作に悪影響を与えてしまうといった問題があった。
【００１９】
特に、最近のディスクドライブ装置３００では、ＣＤやＤＶＤといった異なるディスクの記録フォーマットに対して互換性を持たせた光学ピックアップ２０２が搭載されている。これに対応して、ＦＰＣ２０４にも、光学ピックアップ２０２を異なる記録フォーマットで駆動制御するための信号線が配線されている。このため、ディスクドライブ装置３００では、ＦＰＣ２０４の配線数が増加し、このＦＰＣ２０４が幅広となることによって、上述した屈曲したＦＰＣ２０４から光学ピックアップ２０２に加わる負荷も増すことになる。
【００２０】
なお、本発明に関連する公知文献としては、例えば下記に示す特許文献１，２がある。
【００２１】
特許文献１には、金属製の配線基板からなる配線基板製フレームに直接に半導体レーザ・受光素子の複合チップを平面実装することで、装置全体を薄型化した光学ピックアップ装置が記載されている。
【００２２】
特許文献２には、防振脚で支持されるユニットメカと制御基板との間を接続するＦＰＣを２つに分割し、ユニットメカとの接続位置を当該ユニットメカの重心に対して略対称となるように配置することで、ＦＰＣのばね作用による防振脚への影響を抑制したディスク装置が記載されている。
【００２３】
【特許文献１】特開２００１−３２５７４０号公報
【特許文献２】特開２００１−２２９６５９号公報
【発明の開示】
【発明が解決しようとする課題】
【００２４】
本発明は、以上のような問題点に鑑みて提案されたものであり、本発明の目的は、光学ピックアップの底面部から突出する突起部とフレキシブルプリント配線板との接触を回避し、更なる薄型化を図ることにある。
【００２５】
また、本発明の目的は、更なる薄型化を図った場合でも、屈曲したフレキシブルプリント配線板から光学ピックアップに加わる負荷を軽減し、光学ピックアップを適切に送り動作させることにある。
【課題を解決するための手段】
【００２６】
この目的を達成するために、本発明に係る光学ピックアップ装置は、光学ディスクの半径方向に送り動作されると共に、回転する光学ディスクに対して信号の書き込み及び／又は読み出しを行う光学ピックアップと、光学ピックアップに一端部が接続されて他端部がピックアップの送り方向に延長して設けられたフレキシブルプリント配線板とを備え、フレキシブルプリント配線板は、光学ピックアップの底面部側に折り返される折返し部と、光学ピックアップの送り動作に追従して折返し部の折返し位置を変位させる屈曲変位部とを有し、折返し部には、光学ピックアップの底面部から突出する突起部を逃がす開口部が設けられていることを特徴としている。
【００２７】
また、本発明に係る光学ピックアップ装置は、光学ディスクの半径方向に送り動作されると共に、回転する光学ディスクに対して信号の書き込み及び／又は読み出しを行う光学ピックアップと、光学ピックアップに一端部が接続されて他端部がピックアップの送り方向に延長して設けられたフレキシブルプリント配線板とを備え、フレキシブルプリント配線板は、光学ピックアップの底面部側に折り返される折返し部と、光学ピックアップの送り動作に追従して折返し部の折返し位置を変位させる屈曲変位部とを有し、屈曲変位部は、光学ピックアップの送り方向と略直交する方向に並ぶ複数の配線部に分割されていることを特徴としている。
【００２８】
また、本発明に係るディスクドライブユニットは、光学ディスクが装着されるディスク装着部と、ディスク装着部に装着された光学ディスクを回転駆動するディスク回転駆動機構と、ディスク回転駆動機構により回転駆動される光学ディスクに対して信号の書き込み及び／又は読み出しを行う光学ピックアップと、光学ピックアップを光学ディスクの半径方向に送り動作させるピックアップ送り機構と、光学ピックアップに一端部が接続されて他端部がピックアップの送り方向に延長して設けられたフレキシブルプリント配線板とを備え、フレキシブルプリント配線板は、光学ピックアップの底面部側に折り返される折返し部と、ピックアップ送り機構による光学ピックアップの送り動作に追従して折返し部の折返し位置を変位させる屈曲変位部とを有し、折返し部には、光学ピックアップの底面部から突出する突起部を逃がす開口部が設けられていることを特徴としている。
【００２９】
また、本発明に係るディスクドライブユニットは、光学ディスクが装着されるディスク装着部と、ディスク装着部に装着された光学ディスクを回転駆動するディスク回転駆動機構と、ディスク回転駆動機構により回転駆動される光学ディスクに対して信号の書き込み及び／又は読み出しを行う光学ピックアップと、光学ピックアップを光学ディスクの半径方向に送り動作させるピックアップ送り機構と、光学ピックアップに一端部が接続されて他端部がピックアップの送り方向に延長して設けられたフレキシブルプリント配線板とを備え、フレキシブルプリント配線板は、光学ピックアップの底面部側に折り返される折返し部と、ピックアップ送り機構による光学ピックアップの送り動作に追従して折返し部の折返し位置を変位させる屈曲変位部とを有し、屈曲変位部は、光学ピックアップの送り方向と略直交する方向に並ぶ複数の配線部に分割されていることを特徴としている。
【００３０】
また、本発明に係るディスクドライブ装置は、筐体と、筐体に収容されるディスクドライブユニットとを備え、ディスクドライブユニットは、光学ディスクが装着されるディスク装着部と、ディスク装着部に装着された光学ディスクを回転駆動するディスク回転駆動機構と、ディスク回転駆動機構により回転駆動される光学ディスクに対して信号の書き込み及び／又は読み出しを行う光学ピックアップと、光学ピックアップを光学ディスクの半径方向に送り動作させるピックアップ送り機構と、光学ピックアップに一端部が接続されて他端部がピックアップの送り方向に延長して設けられたフレキシブルプリント配線板とを備え、フレキシブルプリント配線板は、光学ピックアップの底面部側に折り返される折返し部と、ピックアップ送り機構による光学ピックアップの送り動作に追従して折返し部の折返し位置を変位させる屈曲変位部とを有し、折返し部には、光学ピックアップの底面部から突出する突起部を逃がす開口部が設けられていることを特徴としている。
【００３１】
また、本発明に係るディスクドライブ装置は、筐体と、筐体に収容されるディスクドライブユニットとを備え、ディスクドライブユニットは、光学ディスクが装着されるディスク装着部と、ディスク装着部に装着された光学ディスクを回転駆動するディスク回転駆動機構と、ディスク回転駆動機構により回転駆動される光学ディスクに対して信号の書き込み及び／又は読み出しを行う光学ピックアップと、光学ピックアップを光学ディスクの半径方向に送り動作させるピックアップ送り機構と、光学ピックアップに一端部が接続されて他端部がピックアップの送り方向に延長して設けられたフレキシブルプリント配線板とを備え、フレキシブルプリント配線板は、光学ピックアップの底面部側に折り返される折返し部と、ピックアップ送り機構による光学ピックアップの送り動作に追従して折返し部の折返し位置を変位させる屈曲変位部とを有し、屈曲変位部は、光学ピックアップの送り方向と略直交する方向に並ぶ複数の配線部に分割されていることを特徴としている。
【発明の効果】
【００３２】
以上のように、本発明では、光学ピックアップの底面部側に折り返されたフレキシブルプリント配線板の折返し部に開口部を設け、この開口部から光学ピックアップの底面部から突出する突起部を逃がすことによって、突起部とフレキシブルプリント配線板との接触を回避することが可能である。したがって、光学ピックアップの底面部と筐体との間の間隔を狭くし、更なる薄型化を図ることが可能である。
【００３３】
また、本発明では、フレキシブルプリント配線板の折返し位置に当たる屈曲変位部を光学ピックアップの送り方向と略直交する方向に並ぶ複数の配線部に分割することによって、屈曲したフレキシブルプリント配線板から光学ピックアップに加わる負荷を軽減することが可能である。したがって、薄型化によってフレキシブルプリント配線板の引回し空間が狭くなる場合であっても、屈曲したフレキシブルプリント配線板から光学ピックアップに加わる負荷を軽減することによって、光学ピックアップを適切に送り動作させることが可能である。
【発明を実施するための最良の形態】
【００３４】
以下、本発明を適用した光学ピックアップ装置、ディスクドライブユニット及びディスクドライブ装置について、図面を参照しながら詳細に説明する。
【００３５】
図１及び図２に示すように、本発明を適用したディスクドライブ装置１は、例えばノート型パーソナルコンピュータ１００の装置本体１０１に搭載されて、ＣＤ(Compact Disk)やＤＶＤ(Digital Versatile Disk)といった光ディスク２に対して情報信号の記録又は再生を行うものであり、例えばハードディスクドライブ（ＨＤＤ）ユニットと同等の厚みである９．５ｍｍ程度にまで装置全体が薄型化された超薄型構造を有している。
【００３６】
具体的に、このディスクドライブ装置１は、図３及び図４に示すように、筐体３と、この筐体３の前面に設けられたトレイ出入口３ａから水平方向に出し入れされるディスクトレイ４と、このディスクトレイ４に取り付けられたディスクドライブユニット５とを備えている。
【００３７】
筐体３は、全体が略扁平箱状に形成された板金からなる下部筐体６に、その上部開口部を閉塞するように同じく板金からなる天板７がネジ止めによって取り付けられた構造を有している。そして、この筐体３の内部には、ディストレイ４を収納するための収納空間が形成されており、その前面が上記トレイ出入口３ａとして開放されている。
【００３８】
ディスクトレイ４は、全体が略矩形扁平状に形成された樹脂成形材料からなり、その上面部には、光ディスク２に対応した形状の凹部８が設けられている。この凹部８の底面部には、ディスクトレイ４の下面に取り付けられたディスクドライブユニット５を上方へと臨ませる開口部９が形成されている。また、この開口部９から上方に臨むディスクドライブユニット５には、開口部９ａを覆う化粧板１０が取り付けられている。この化粧板１０には、後述するディスクドライブユニット５のターンテーブル１５ａ及び光学ピックアップ１７の対物レンズ１７ａを上方へと臨ませる開口部２２ａ，２２ｂに対応した開口部１０ａが形成されている。
【００３９】
このディスクトレイ４は、その両側面と下部筐体６の内側面との間に介在されるガイドレール機構１１によって、図２に示すトレイ出入口３ａから筐体３の内部へと引き込まれて収納される収納位置と、図３に示すトレイ出入口３ａから筐体３の外部へと引き出される引出位置との間でスライド可能に支持されている。
【００４０】
このディスクトレイ４の前面には、筐体３のトレイ出入口３ａを開閉する略矩形平板状の前面パネル１２が取り付けられている。また、この前面パネル１２の前面には、光ディスク２に対するアクセス状態を点灯表示する表示部１３と、ディスクトレイ４をイジェクトする際に押圧されるイジェクト釦１４とが設けられている。
【００４１】
なお、このディスクトレイ４は、筐体３に収納された際にロック機構（図示せず。）によって前面側へのスライドが係止される。そして、この状態からイジェクト釦１４が押圧されると、ロック機構による係止状態が解除されることによって、ディスクトレイ４がトレイ出入口３ａから前面側へと押し出される。これにより、ディスクトレイ４をトレイ出入口３ａから引出位置へと引き出すことが可能となっている。一方、ディスクトレイ４を筐体３の収納位置へと押し込むことによって、再びロック機構による前面側へのスライドが係止されることになる。
【００４２】
ディスクドライブユニット５は、図５及び図６に示すように、光ディスク２が装着されるディスク装着部１５と、このディスク装着部１５に装着された光ディスク２を回転駆動するディスク回転駆動機構１６と、このディスク回転駆動機構１６により回転駆動される光ディスク２に対して信号の書き込み又は読み出しを行う光学ピックアップ１７と、この光学ピックアップ１７を光ディスク２の半径方向に送り動作させるピックアップ送り機構１８とを備え、これらがベース１９の下面に取り付けられた超薄型構造を有している。
【００４３】
ベース１９は、板金を所定の形状に打ち抜き、その周囲を僅かに下方に折り曲げて形成されている。また、下方に折り曲げられたベース１９の端縁部からは、３つのインシュレータ取付部２０が外側に向かって折り曲げ形成されている。各インシュレータ取付部２０には、振動等を吸収するためのゴム等の弾性部材からなるインシュレータ２１が取り付けられている。ベース１９は、これらインシュレータ２１を介してディスクトレイ４の下面に固定支持されている。また、ベース１９の主面には、後述するターンテーブル１５ａを上方へと臨ませる略半円状のテーブル用開口部２２ａと、光学ピックアップ１７の対物レンズ１７ａを上方へと臨ませる略矩形状のピックアップ用開口部２２ｂとが連続して形成されている。
【００４４】
ディスク装着部１５は、ディスク回転駆動機構１６により回転駆動されるターンテーブル１５ａを有し、このターンテーブル１５ａの中心部には、光ディスク２を装着するためのチャッキング機構２３が設けられている。このチャッキング機構２３は、光ディスク２の中心孔２ａに係合される係合突部２３ａと、この係合突部２３ａに係合された光ディスク２の中心孔２ａの周囲を係止する複数の係止爪２３ｂとを有し、ターンテーブル１５ａに装着された光ディスク２のセンタリングを行いながら、この光ディスク２をターンテーブル１５ａ上に保持する。
【００４５】
ディスク回転駆動機構１６は、光ディスク２を保持するターンテーブル１５ａが上面に一体に設けられた扁平状のスピンドルモータ１６ａを有し、このスピンドルモータ１６ａにより光ディスク２をターンテーブル１５ａと一体に回転駆動する。また、スピンドルモータ１６ａは、回路基板２４に支持されており、この回路基板２４は、ターンテーブル１５ａがベース１９のテーブル用開口部２２ａからベース２２の上面よりも僅かに突出するように、スペーサ部材２５を介してベース１９の下面に複数のネジ２６により取り付けられている。
【００４６】
光学ピックアップ１７は、光源となる半導体レーザから出射された光ビームを対物レンズ１７ａにより集光させて光ディスク２の信号記録面に照射し、この光ディスク２の信号記録面で反射された戻りの光ビームを受光素子で検出することによって、光ディスク２に対する信号の書き込み又は読み出しを行う。
【００４７】
また、この光学ピックアップ１７は、対物レンズ１７ａを当該対物レンズ１７ａの光軸方向（フォーカッシング方向）と当該対物レンズ１７ａの光軸方向と直交する方向（トラッキング方向）とに変位駆動する２軸アクチュエータ（図示せず。）を有している。そして、この光学ピックアップ１７では、上述した受光素子により検出された光ディスク２からの検出信号に基づいて、２軸アクチュエータにより対物レンズ１７ａをフォーカッシング方向及びトラッキング方向に変位させながら、光ディスク２の信号記録面上に対物レンズ１７ａの焦点を合わせるフォーカスサーボや、対物レンズ１７ａにより集光される光ビームのスポットを記録トラックに追従させるトラッキングサーボ等の駆動制御を行っている。
【００４８】
ピックアップ送り機構１８は、光学ピックアップ１７の各構成部品が搭載されたピックアップベース２７と、このピックアップベース２７を光ディスク２の半径方向にスライド可能に支持する一対のガイド軸２８ａ，２８ｂと、これら一対のガイド軸２８ａ，２８ｂに支持されたピックアップベース２７を光ディスク２の半径方向に変位駆動する変位駆動機構２９とを有している。
【００４９】
ピックアップベース２７には、一対のガイド軸２８ａ，２８ｂのうち、一方のガイド軸２８ａを挿通するガイド孔３０ａが形成された一対のガイド片３０と、他方のガイド軸２８ｂを挟み込むガイド溝３１ａが形成されたガイド片３１とが互いに対向する側面から逆向きに突出形成されている。これにより、ピックアップベース２７は、一対のガイド軸２８ａ，２８ｂにスライド可能に支持されている。
【００５０】
一対のガイド軸２８ａ，２８ｂは、ベース１９の下面に位置して、光ディスク２の半径方向と互いに平行となるように配置されており、ベース１９のピックアップ用開口部２２ｂに臨むピックアップベース２７を光ディスク２の内外周に亘って案内する。また、これら一対のガイド軸２８ａ，２８ｂの両端部は、それぞれベース１９の下面にスキュー調整機構３１を介して取り付けられている。
【００５１】
このスキュー調整機構３１は、一対のガイド軸２８ａ，２９ｂの両端部をベース１９の主面と直交する方向に移動可能に支持しており、各ガイド軸２８ａ，２８ｂの端部が支持される位置を調整ネジ３１ａにより調節しながら、光学ピックアップ１７の対物レンズ１７ａにより集光される光ビームが光ディスク２の信号記録面に垂直に照射されるように、各ガイド軸２８ａ，２８ｂの傾きを調整可能としている。また、光学ピックアップ１７とターンテーブル１５ａに保持された光ディスク２の信号記録面との間の距離も調整可能である。
【００５２】
変位駆動機構２９は、図７に示すように、ピックアップベース２７に取り付けられたラック部材３２と、このラック部材３２と噛合される送りネジ３３と、この送りネジ３３を回転駆動する駆動モータ３４とを有している。
【００５３】
ラック部材３２は、その基端側がピックアップベース２７の一対のガイド片３０の間に位置してネジ止めにより取り付けられ、その先端側に一方のガイド軸２８ａと平行に配置された送りネジ３３と噛合されるラック部３２ａが一体に形成されている。送りネジ３３は、駆動モータ３４の駆動軸と一体に形成されており、その外周面には、上記ラック部材３２のラック部３２ａが噛合される螺旋状のリードスクリュー３３ａが形成されている。駆動モータ３４は、いわゆるステッピングモータであり、駆動パルスに応じて送りネジ３３を回転駆動する。また、これら送りネジ３３及び駆動モータ３４は、ベース１９の下面にネジ止めによって取り付けられたブラケット３５に支持されている。このブラケット３５は、長尺状の板金の両端部が同一方向に直角に折り曲げられた形状を有しており、その折り曲げられた一端側に送りネジ３３を貫通させた状態で駆動モータ３４が固定される一方、他端に設けられた軸孔に送りネジ３３の先端が軸支されることによって、送りネジ３３を回転可能に支持している。
【００５４】
そして、この変位駆動機構２９は、駆動モータ３４が送りネジ３３を回転駆動しながら、リードスクリュー３３ａとラック部３２ａとの噛合によりラック部材３２を送りネジ３３の軸線方向に変位させることによって、一対のガイド軸２８ａ，２８ｂに支持されたピックアップベース２７を光ディスク２の半径方向に変位駆動する。
【００５５】
以上のように構成されるディスクドライブ装置１では、光ディスク２を保持するディスクトレイ４が筐体３に収容された状態において、上記パーソナルコンピュータ１００から記録又は再生の指令が送られると、この指令に基づいて、光ディスク２に対する情報信号の記録又は再生が行われる。具体的には、ディスクドライブユニット５において、ディスク回転駆動機構１５が光ディスク２を回転駆動し、ピックアップ送り機構１８が光学ピックアップ１７を光ディスク２の半径方向に送り動作しながら、光学ピックアップ１７が光ディスク２に対して信号の書き込み又は読み出し動作を行う。
【００５６】
ところで、このディスクドライブ装置１は、図８及び図９に示すように、ディスクトレイ４の底面部に取り付けられるトレイ側の回路基板４０と、下部筐体６の底面部に取り付けられるドライブ本体側の回路基板４１とを備えている。
【００５７】
このうち、トレイ側の回路基板４０には、光学ピックアップ１７との電気的な接続を図るためのコネクタ４２や、ユニット側の回路基板２４との電気的な接続を図るためのコネクタ４３、ドライブ本体側の回路基板４１との電気的な接続を図るためのコネクタ４４が設けられている。また、この回路基板４０の両主面には、上述したスピンドルモータ１６ａや、駆動モータ３４、光学ピックアップ１７の各部の駆動制御を行う駆動制御回路等が設けられている。
【００５８】
一方、ドライブ本体側の回路基板４１には、図示を省略するが、トレイ側の回路基板４０との電気的な接続を図るためのコネクタや、上記装置本体１０１との電気的な接続を図るコネクタが設けられている。また、この回路基板４１の両主面には、ドライブ本体の各部の駆動制御を行う駆動制御回路等が設けられている。
【００５９】
なお、上述したベース１９に取り付けられるユニット側の回路基板２４は、スピンドルモータ１６ａや駆動モータ３４、光学ピックアップ１７の各部の駆動制御を行う駆動制御回路等を、トレイ側の回路基板４０やドライブ本体側の回路基板４１に搭載することで、上述した図１６に示す従来の回路基板２０６よりも大幅な小型化が図られている。これにより、上述したディスクドライブユニット５の更なる小型化及び軽量化が可能となっている。
【００６０】
そして、これらトレイ側の回路基板４０と光学ピックアップ１７との間、トレイ側の回路基板４０とユニット側の回路基板２４との間、トレイ側の回路基板４０とドライブ本体側の回路基板４１との間には、各コネクタ間を電気的に接続するフレキシブルプリント配線板（以下、ＦＰＣという。）が引き回されている。
【００６１】
ところで、光学ピックアップ１７とトレイ側の回路基板４０との間を電気的に接続するＦＰＣ４５は、例えば図１０に示すような形状を有している。
【００６２】
具体的に、このＦＰＣ４５の一端部４５ａは、光学ピックアップ１７の外周側の側面に接続されている。なお、このＦＰＣ４５の一端部４５ａは、複数の配線部に枝分かれしており、枝分かれした各配線部の先端に設けられた端子部に、ピックアップベース２７に搭載される半導体レーザや、受光素子、収差補正用の液晶素子、２軸アクチュエータ等が直接接続された構造を有している。
【００６３】
そして、このＦＰＣ４５の一端部４５ａからは、第１の延長部４５ｂが光学ピックアップ１７の送り方向に延長して設けられている。なお、第１の延長部４５ｂは、後述するＦＰＣ４５の折返し部４５ｇ及び屈曲変位部４５ｈとなる部分である。
【００６４】
また、第１の延長部４５ｂの光学ピックアップ１７の送り方向に沿った一辺からは、第２の延長部４５ｃが光学ピックアップ１７の送り方向と直交する方向に延長して設けられている。この第２の延長部４５ｃは、ＦＰＣ４５の他端部４５ｄをトレイ側の回路基板４０へと導く部分である。そして、このＦＰＣ４５の他端部４５ｄには、トレイ側の回路基板４０に設けられたコネクタ４２に差し込まれる端子部４６が設けられている。
【００６５】
なお、第１の延長部４５ｂと第２の延長部４５ｃとの間には、幅広となるテーパー部４５ｅが設けられている。また、第２の延長部４５ｃの光学ピックアップ１７とは反対側に位置する一辺からは、光学ピックアップ１７の送り方向に延長された第３の延長部４５ｆが設けられている。この第３の延長部４５ｆは、光学ピックアップ１７がピックアップ用開口部２２ｂの最外周部に位置するとき、この光学ピックアップ１７の背面側に折り返されたＦＰＣ４５をピックアップ用開口部２２ｂの最内周部よりも更に内側に位置させる部分である。これにより、光学ピックアップ１７を送り動作した際に、ＦＰＣ４５がピックアップ用開口部２２ｂを通してベース１９側に捲れ上がるのを防止している。
【００６６】
ＦＰＣ４５は、図８及び図９に示すように、第１の延長部４５ｂが光学ピックアップ１７の底面部側に折り返された状態で、他端部４５ｄに設けられた接続部４６がトレイ側の回路基板４０に設けられたコネクタ４２に接続されている。すなわち、このＦＰＣ４５は、図１１及び図１２に示すように、光学ピックアップ１７と回路基板４０との間で引き回された際に、光学ピックアップ１７の底面部側に折り返された折返し部４５ｇと、光学ピックアップ２０２の送り動作に追従して折返し部４５ｇの折返し位置を変位させる屈曲変位部４５ｈとを有することになる。
【００６７】
ここで、ピックアップベース２７に搭載される収差補正用の液晶素子は、このピックアップベース２７の底面部から突出して配置されることになる。すなわち、この液晶素子の一部は、ピックアップベース２７の底面部から突出する突起部１７ｂを形成している。
【００６８】
これに対応して、ＦＰＣ４５の折返し部４５ｇには、ピックアップベース２７の底面部から突出する突起部１７ｂを逃がすスリット４７が形成されている。このスリット４７は、折返し部４５ｇの略中央部を少なくとも光学ピックアップ１７の底面部と対向する領域に亘って直線状に切り欠いて形成された開口部である。
【００６９】
これにより、ディスクドライブ装置１では、光学ピックアップ１７を光ディスク２の半径方向に送り動作した際に、この光学ピックアップ１７の底面部から突出する突起部１７ｂとＦＰＣ４５の折返し部４５ｇとの接触を回避することが可能である。したがって、ディスクドライブ装置１では、光学ピックアップ１７の底面部と下部筐体６との間の間隔を狭くし、装置全体を更に薄型化することが可能である。
【００７０】
さらに、このディスクドライブ装置１では、図１３に示すように、下部筐体６の底面部を構成する底板６ａに光学ピックアップ１７の突起部１７ｂを逃がすスリット４９を設けてよい。これにより、ディスクドライブ装置１では、光学ピックアップ１７の底面部と下部筐体６との間の間隔を狭くし、装置全体を更に薄型化することも可能である。
【００７１】
ところで、このディスクドライブ装置１では、ディスクドライブユニット５に搭載された光学ピックアップ１７の底面部と下部筐体６との間の間隔が狭くなると、光学ピックアップ１７と回路基板４０との間で引き回されるＦＰＣ４５の引回し空間も狭くなる。この場合、ＦＰＣ４５の折返し位置に当たる屈曲変位部４５ｈでは、その曲率半径が小さくなるために、その弾性（バネ）力も増すことになる。
【００７２】
ここで、ＦＰＣ４５の屈曲変位部４５ｈは、上述したスリット４７が形成されることによって、光学ピックアップ１７の送り方向と略直交する方向に並ぶ一対の配線部４８ａ，４８ｂに分割されている。これら一対の配線部４８ａ，４８ｂは、屈曲により発生する弾性力が略均等となるように、スリット４７を挟んで略同一の幅で形成されている。
【００７３】
これにより、ディスクドライブ装置１では、各配線部４８ａ，４８ｂの屈曲により発生する弾性力を小さくし、このＦＰＣ４５から光学ピックアップ１７に加わる負荷を軽減することが可能である。したがって、このディスクドライブ装置１では、装置本体の薄型化によりＦＰＣ４５の引回し空間が狭くなる場合であっても、このＦＰＣ４５から光学ピックアップ１７に加わる負荷を軽減することによって、ピックアップ送り機構１８により光学ピックアップ１７を光ディスク２の半径方向に適切に送り動作させることが可能である。
【００７４】
特に、このディスクドライブ装置１では、ＦＰＣ４５の配線数が増加し、このＦＰＣ４５が幅広となる場合であっても、ＦＰＣ４５の屈曲変位部４５ｈを光学ピックアップ１７の送り方向と略直交する方向に並ぶ複数の配線部４８ａ，４８ｂに分割することによって、このＦＰＣ４５から光学ピックアップ１７に加わる負荷を軽減することが可能である。
【００７５】
ところで、ＦＰＣ４５の一対の配線部４８ａ，４８ｂのうち、第１の配線部４８ａには、光学ピックアップ１７を第１の記録フォーマット（例えばＣＤフォーマット）で駆動制御するための第１の信号線を配置し、第２の配線部４８ｂには、光学ピックアップ１７を第１の記録フォーマットと異なる第２の記録フォーマット（例えばＤＶＤフォーマット）で駆動制御するための第２の信号線を配線することが望ましい。
【００７６】
これにより、第１の信号線と第２の信号線との間の距離を一定に保ち、隣接する信号線の干渉によるノイズ等の発生を防ぐことが可能である。
【００７７】
なお、上記ＦＰＣ４５は、上述した図１０に示す形状に必ずしも限定されるものではない。例えば図１４に示すＦＰＣ４５のように、スリット４７がＦＰＣ４５の一端部４５ａまで形成された形状とすることも可能である。この場合、一対の配線部４８ａ，４８ｂは、このスリット４７を挟んでＦＰＣ４５の一端部４５ａまで分割されることになる。
【００７８】
また、図１５に示すＦＰＣ４５のように、スリット４７がＦＰＣ４５の他端部４５ｄで開放された形状とすることも可能である。この場合、一対の配線部４８ａ，４８ｂは、ＦＰＣ４５の他端部４５ｄまで分割されることになる。
【００７９】
また、上記ＦＰＣ４５は、光学ピックアップ１７の外周側から当該ピックアップ１７の送り方向に沿って延長して設けられた構成となっているが、光学ピックアップ１７の内周側から当該ピックアップ１７の送り方向に沿って延長して設けられた構成とすることも可能である。
【００８０】
また、上記ＦＰＣ４５は、一対の配線部４８ａ，４８ｂに分割された形状に限らず、場合によっては、３つ以上の配線部に分割することも可能である。さらに、上記ＦＰＣ４５には、上述したスリット４７の他にも、軽量化のための開口部等を設けてもよい。
【産業上の利用可能性】
【００８１】
なお、本発明は、上述した光ディスク２以外にも光磁気ディスク等の光学ディスク、或いはこれら光学ディスクがディスクカートリッジに収納されたものに対して情報信号の記録及び／又は再生を行うディスクドライブ装置に適用可能である。
【００８２】
また、本発明は、上述したディスクトレイ４にディスクドライブユニット５が取り付けられたトレイ型のディスクドライブ装置１に限らず、筐体の前面に設けられたディスク挿脱口から光学ディスクが挿脱されるスロットイン型のディスクドライブ装置１にも適用可能である。
【図面の簡単な説明】
【００８３】
【図１】本発明を適用したディスクドライブ装置が搭載されたノート型パーソナルコンピュータを示す斜視図である。
【図２】上記ディスクドライブ装置のディスクトレイが収納された状態を示す斜視図である。
【図３】上記ディスクドライブ装置のディスクトレイが引き出された状態を示す斜視図である。
【図４】上記ディスクドライブ装置の構成を示す分解斜視図である。
【図５】ディスクドライブユニットを上面側から見た斜視図である。
【図６】ディスクドライブユニットを底面側から見た斜視図である。
【図７】ピックアップ送り機構の構成を示す平面図である。
【図８】上記ディスクドライブ装置の天板を取り外した状態を示す斜視図である。
【図９】上記ディスクドライブ装置の底板を取り外した状態を示す斜視図である。
【図１０】光学ピックアップに取り付けられたＦＰＣの構成を示す平面図である。
【図１１】光学ピックアップに取り付けられたＦＰＣの折返し状態を上面側から見た斜視図である。
【図１２】光学ピックアップに取り付けられたＦＰＣの折返し状態を底面側から見た斜視図である。
【図１３】上記ディスクドライブ装置を底面側から見た斜視図である。
【図１４】光学ピックアップに取り付けられたＦＰＣの別の構成例を示す平面図である。
【図１５】光学ピックアップに取り付けられたＦＰＣの別の構成例を示す平面図である。
【図１６】従来のディスクドライブユニットの構成を示す斜視図である。
【図１７】上記従来のディスクドライブユニットが搭載されたディスクドライブ装置の構成を示す断面図である。
【符号の説明】
【００８４】
１  ディスクドライブ装置、  ２  光ディスク、  ３  筐体、  ４  ディスクトレイ  ５  ディスクドライブユニット、  ６  下部筐体、  １７  光学ピックアップ、  １７ｂ  突起部、  ４５  フレキシブルプリント配線板（ＦＰＣ）、  ４５ｇ  折返し部、  ４５ｈ  屈曲変位部、  ４７  スリット、  ４８ａ  第１の配線部、  ４８ｂ  第２の配線部、  ４９  スリット
【図１】
2005235308.tif 000003
【図２】
2005235308.tif 000004
【図３】
2005235308.tif 000005
【図４】
2005235308.tif 000006
【図５】
2005235308.tif 000007
【図６】
2005235308.tif 000008
【図７】
2005235308.tif 000009
【図８】
2005235308.tif 000010
【図９】
2005235308.tif 000011
【図１０】
2005235308.tif 000012
【図１１】
2005235308.tif 000013
【図１２】
2005235308.tif 000014
【図１３】
2005235308.tif 000015
【図１４】
2005235308.tif 000016
【図１５】
2005235308.tif 000017
【図１６】
2005235308.tif 000018
【図１７】
2005235308.tif 000019